(57)【要約】【課題】二次電池の並列数より少ない電流検出器で、二次電池の異常検知を行なう。【解決手段】二次電池と遮断素子との直列回路がＮ個並列に接続された電池ブロックと、電池ブロックに流れる全体電流を計測する全体電流検出部と、Ｎ個の直列回路からの充放電経路に流れる第１の総和電流を磁気検出により計測する第１の遮断検知用電流検出部と、全体電流検出部により計測した全体電流と第１の遮断検知用電流検出部により計測した第１の総和電流の比を算出し、予め断線検知部に記録されている第１の総和電流／全体電流の比と予め想定される遮断状態との関係から、遮断素子の遮断箇所と個数を判定する断線検知部とを備え、第１の遮断検知用電流検出部の内部を、ｎ番目（ｎ：１〜Ｎの整数）の直列回路からの充放電経路が２ｎ−１回貫通していることにより、二次電池の並列数よりも少ない電流検出器で遮断素子の遮断箇所や遮断個数を判定することができる。【選択図】図１
2012198170.tif 000002
【特許請求の範囲】
【請求項１】
二次電池と前記二次電池の充放電経路を遮断する遮断状態となり得る遮断素子との直列回路がＮ個（Ｎ：２以上の整数）並列に接続された電池ブロックと、
前記電池ブロックに流れる全体電流を計測する全体電流検出部と、
Ｎ個の前記直列回路からの充放電経路に流れる第１の総和電流を磁気検出により計測する第１の遮断検知用電流検出部と、
前記全体電流検出部により計測した全体電流と前記第１の遮断検知用電流検出部により計測した第１の総和電流の比を算出し、予め前記断線検知部に記録されている第１の総和電流／全体電流の比と予め想定される遮断状態との関係から、前記遮断素子の遮断箇所と個数を判定する断線検知部とを備え、
前記第１の遮断検知用電流検出部の内部を、ｎ番目（ｎ：１〜Ｎの整数）の直列回路からの充放電経路が２ｎ−１回貫通していることを特徴とする電池電源装置。
【請求項２】
Ｎ個の前記直列回路からの充放電経路に流れる第２の総和電流を磁気検出により計測する第２の遮断検知用電流検出部とを備え、
前記第２の遮断検知用電流検出部の内部を、１番目の直列回路からの充放電経路が２Ｎ−１回貫通し、ｎ番目（ｎ：２〜Ｎの整数）の直列回路からの充放電経路が２ｎ−２回貫通し、
前記断線検知部は、前記全体電流検出部により計測した全体電流と第２の前記遮断検知用電流検出部により計測した第２の総和電流の比を算出し、予め前記断線検知部に記録されている第２の総和電流／全体電流の比と予め想定される遮断状態との関係から、前記遮断素子の遮断箇所と個数を判定することを特徴とする請求項１記載の電池電源装置。
【請求項３】
二次電池と前記二次電池の充放電経路を遮断する遮断状態となり得る遮断素子との直列回路がＮ個（Ｎ：２以上の整数）並列に接続された電池ブロックと、
前記電池ブロックに流れる全体電流を計測する全体電流検出部と、
Ｎ個の前記直列回路をｘ個（ｘ：２〜Ｎ−１の整数）に分けて、Ｎ個の前記直列回路に流れるｘ個の部分電流を磁気検出により計測するｘ個の遮断検知用電流検出部と、
前記全体電流検出部により計測した全体電流と前記ｘ個の遮断検知用電流検出部により計測した部分電流の総和電流の比を算出し、予め前記断線検知部に記録されている総和電流／全体電流の比と予め想定される遮断状態との関係から、前記遮断素子の遮断箇所と個数を判定する前記断線検知部とを備え、
前記ｘ個の遮断検知用電流検出部の内部を、各遮断検知用電流検出部に貫通させるｎ番目（ｎ：１〜Ｎの整数）の直列回路からの充放電経路が２ｎ−１回貫通していることを特徴とする電池電源装置。
【発明の詳細な説明】
【技術分野】
【０００１】
本発明は、複数の二次電池が並列接続された電池ブロックを備える電池電源装置、及びこれを用いる電池電源システムに関する。
【背景技術】
【０００２】
従来より、二次電池を用いて負荷回路へ電力を供給する電池電源装置においては、負荷回路が必要とする出力電流量を確保する必要から、複数の二次電池を並列接続した電池ブロックが広く用いられている。
【０００３】
このような電池電源装置においては、電池ブロックに含まれる一部の二次電池に過電流や過熱等の異常が生じた場合、正常時と同じようにこのような電池ブロックに対して充放電を行うと、二次電池を劣化させてしまうおそれがあった。
【０００４】
そこで、電池ブロックに含まれる一部の二次電池の異常、例えば脱落や断線等の異常を検出し、このような異常が生じた場合にスイッチング素子や保護素子をオフさせて、電池電源装置全体の充放電を禁止することが考えられている。この並列接続された二次電池に対して電池異常を検出する手法としては、各二次電池にそれぞれ直列に電流検出器を接続し、その電流値の変化から異常を検出する技術が知られている（特許文献１参照）。
【先行技術文献】
【特許文献】
【０００５】
【特許文献１】特開２００７−２８２３７５号公報
【発明の概要】
【発明が解決しようとする課題】
【０００６】
しかしながら、上述の技術のように、各二次電池にそれぞれ直列に電流検出器を接続し、その電流値の変化から二次電池の異常を検出する手法では、二次電池の並列接続数と同数の電流検出器が必要となり、多並列の電池電源システムにおいて多数の電流検出器が必要となる。そこで、二次電池の並列数より少ない電流検出器で、二次電池の異常検知を行なうことが課題である。
【課題を解決するための手段】
【０００７】
本発明に係る電池電源装置は、二次電池と二次電池の充放電経路を遮断する遮断状態となり得る遮断素子との直列回路がＮ個（Ｎ：２以上の整数）並列に接続された電池ブロックと、電池ブロックに流れる全体電流を計測する全体電流検出部と、Ｎ個の直列回路からの充放電経路に流れる第１の総和電流を磁気検出により計測する第１の遮断検知用電流検出部と、全体電流検出部により計測した全体電流と第１の遮断検知用電流検出部により計測した第１の総和電流の比を算出し、予め断線検知部に記録されている第１の総和電流／全体電流の比と予め想定される遮断状態との関係から、遮断素子の遮断箇所と個数を判定する断線検知部とを備え、第１の遮断検知用電流検出部の内部を、ｎ番目（ｎ：１〜Ｎの整数）の直列回路からの充放電経路が２ｎ−１回貫通している。
【０００８】
この構成によれば、複数並列に接続された二次電池の一部の二次電池に異常が生じた場合、当該異常が生じた一部の二次電池のみ、遮断素子によって充放電経路を遮断する。そして、遮断された電池の箇所と個数とを判定することができる。
【発明の効果】
【０００９】
並列接続された複数の二次電池に対して電池異常を検出する際に、各二次電池に対して直列に電流検出器を接続するのではなく、磁気検知式の電流検出器に二次電池毎の直列回路を貫通する回数を異ならせることで、二次電池の並列数よりも少ない電流検出器で遮断素子の遮断状況（遮断箇所や遮断個数）を判定することができる。
【図面の簡単な説明】
【００１０】
【図１】本発明の第１実施形態に係る電池電源装置を備えた電池電源システムの一例を示すブロック図
【図２】本発明の第１実施形態に係る電池電源装置の二次電池毎に遮断検知用検出部を貫通する充放電経路の本数を変化させている様子を図示した図
【図３】本発明の第１実施形態に係る電池電源装置の全体電流検出部と遮断検出用電流検出部により得られる値と遮断素子の遮断状況との関係性に関するデータベース
【図４】本発明の第１実施形態に係る電池電源装置の動作を示すフローチャート
【図５】本発明の第１の実施形態に係る遮断検出用電流検出部の他の例を示したブロック図
【図６】本発明の第１実施形態に係る電池電源装置の全体電流検出部と遮断検出用電流検出部により得られる値と遮断素子の遮断状況との関係性に関する他の例のデータベース
【図７】本発明の第１の実施形態に係る遮断検出用電流検出部の他の例を示したブロック図
【発明を実施するための形態】
【００１１】
以下、本発明に係る実施形態を図面に基づいて説明する。なお、各図において同一の符号を付した構成は、同一の構成であることを示し、その説明を省略する。
【００１２】
（第１実施形態）
図１は、本発明の第１施形態に係る電池電源装置を備えた電池電源システムの一例を示すブロック図である。
【００１３】
図１に示す電池電源システム３は、電池電源装置１と、外部装置２とが組み合わされて構成されている。図１に示す電池電源装置１は、ｍ個（例えば１０個）の電池ブロックＢＢ１〜ＢＢｍと、全体電流検出部ＡＡと、制御部１０と、通信部１１と、接続端子１５，１６，１７とを備えている。
【００１４】
ｍ個の電池ブロックＢＢ１〜ＢＢｍは、直列接続されている。電池ブロックＢＢ１〜ＢＢｍの直列回路における正極が、全体電流検出部ＡＡを介して接続端子１５に接続されている。また、電池ブロックＢＢ１〜ＢＢｍの直列回路における負極が接続端子１６に接続されている。また、接続端子１７は、通信部１１に接続されている。
【００１５】
なお、電池ブロックＢＢ１〜ＢＢｍは、図１では一本の導線で接続されているが、複数本の導線で接続されていてもよい。
【００１６】
図１に示す外部装置２は、充放電制御部２１、発電装置２２（電流供給部）、負荷装置２３（負荷回路）、通信部２４、及び接続端子２５，２６，２７を備えている。そして、接続端子２５，２６が、充放電制御部２１と接続され、接続端子２７が、通信部２４を介して充放電制御部２１と接続されている。また、発電装置２２と負荷装置２３とは、充放電制御部２１と接続されている。
【００１７】
そして、電池電源装置１と、外部装置２とが組み合わされると、接続端子１５，１６，１７と接続端子２５，２６，２７とがそれぞれ接続されるようになっている。
【００１８】
電池ブロックＢＢ１〜ＢＢｍは、同様に構成されているので、電池ブロックＢＢ１〜ＢＢｍを代表してｉ番目の電池ブロックＢＢｉについて、その構成を説明する。
【００１９】
電池ブロックＢＢｉは、遮断素子の一例であるヒューズＦと二次電池Ｂとの直列回路がｎ個（例えば５０個）並列接続されて構成されている。以下、図１に記載の電池ブロックＢＢｉおいて、各直列回路に含まれるヒューズＦ、及び二次電池Ｂを、図中左から順に付した番号ｊによって、ヒューズＦｉ−ｊ、二次電池Ｂｉ−ｊと表記する。
【００２０】
まず、電池ブロックＢＢｉにおけるｎ番目の直列回路は、ヒューズＦｉ−ｎと、二次電池Ｂｉ−ｎとが直列接続されて構成されている。さらに、電池ブロックＢＢｉは、磁気検出による電流検出器で構成されている遮断検知用電流検出部Ａｉが設置されている。
【００２１】
図２に、本発明の第１実施形態に係る電池電源装置の二次電池毎に遮断検知用検出部を貫通する充放電経路の本数を変化させている様子を示す。図２のように、遮断検知用電流検出部Ａｉである電流検出器の内側に各二次電池Ｂｍ−ｎの充放電経路を２ｎ−１回と貫通させる。このとき、電流検出器の外側は２ｎ−１−１回通ることとなる。
【００２２】
例えば、図２のように二次電池Ｂｍ−３の充放電経路は電流検出器の内側を４（＝２３−１）回、外側を３（＝２３−１−１）回通す。従って、遮断検知用電流検出部Ａｉの内部に二次電池Ｂｉ−ｎ毎に、それぞれの充放電経路を２ｎ−１本（１本、２本、４本、８本…）と貫通することとなる。遮断検知用電流検出部Ａｉに貫通させる本数を２ｎ-１本とすることで、遮断検知用電流検出部Ａｉで計測された値から、遮断素子の遮断状況（遮断箇所と遮断個数）をただ１つに特定することが可能となる。
【００２３】
以下、電池ブロックＢＢ１〜ＢＢｍを総称して電池ブロックＢＢと表記し、ヒューズＦｉ−１〜Ｆｉ−ｎ（ｉは電池ブロックの番号１〜ｍ）を総称してヒューズＦと表記し、二次電池Ｂｉ−１〜Ｂｉ−ｎ（ｉは電池ブロックの番号１〜ｍ）を総称して二次電池Ｂと表記する。
【００２４】
そして、制御部１０は、全体電流検出部ＡＡ、遮断検知用電流検出部Ａｉで生じた電圧を例えばアナログデジタルコンバータでデジタル値に変換することによって、全体電流検出部ＡＡ、遮断検知用電流検出部Ａｉを流れる電流値を取得するようになっている。
【００２５】
これにより、全体電流検出部ＡＡは、電池ブロックＢＢ１〜ＢＢｍに流れる全体電流値ＩＡＡを検出し、遮断検知用電流検出部Ａｉは（二次電池Ｂｉ−ｎに流れる電流）×（遮断検知用電流検出部Ａｉを貫通している充放電経路の本数）の総和が計測される。
【００２６】
二次電池Ｂとしては、例えばリチウムイオン二次電池やニッケル水素二次電池等、種々の二次電池を用いることができる。なお、二次電池Ｂは、単電池であってもよく、単電池が直列、並列、あるいは直列と並列とが組み合わされて構成された組電池であってもよい。
【００２７】
ヒューズＦは、例えば当該ヒューズＦと直列接続された二次電池Ｂが短絡するなどして異常が生じた場合に遮断状態となって、当該二次電池Ｂに流れる電流を遮断するようになっている。
【００２８】
通信部１１，２４は、通信インターフェイス回路である。接続端子１７と接続端子２７が接続されることで、通信部１１，２４間で、データ送受信が可能とされる。制御部１０と、充放電制御部２１とは、通信部１１，２４を介することで、互いにデータ送受信可能とされている。ここで、通信部１１は、電流制御部の一例に相当している。
【００２９】
制御部１０は、例えば所定の演算処理を実行するＣＰＵ（Ｃｅｎｔｒａｌ  Ｐｒｏｃｅｓｓｉｎｇ  Ｕｎｉｔ）と、所定の制御プログラムが記憶されたＲＯＭ（Ｒｅａｄ  Ｏｎｌｙ  Ｍｅｍｏｒｙ）と、データを一時的に記憶するＲＡＭ（Ｒａｎｄｏｍ  Ａｃｃｅｓｓ  Ｍｅｍｏｒｙ）と、アナログデジタルコンバータと、その周辺回路等とを備えて構成されている。そして、制御部１０は、例えばＲＯＭに記憶された制御プログラムを実行することにより、断線検知部１０１として機能する。
【００３０】
断線検知部１０１は、遮断素子であるヒューズＦが遮断した箇所及び個数を判定している。具体的には、全体電流検出部ＡＡによって検出された全体電流値ＩＡＡと遮断検知用電流検出部Ａｉによって検出された総和電流値ＩＡｉの比を計算し、この値と予め制御部に記録されている遮断素子の遮断状況（遮断箇所と遮断個数）と全体電流値と総和電流値の比ＩＡｉ/ＩＡＡとの関係性を示したデータベースとを比較することで、断線箇所及び個数を判定している。
【００３１】
図３に、本発明の第１実施形態に係る電池電源装置の全体電流検出部と遮断検出用電流検出部により得られる値と遮断素子の遮断状況との関係性に関するデータベースを示す。図３は、ｎ＝４の場合の具体例を示している。ここで、電池ブロックは定電流源であるので、電池ブロック全体に流れる電流値は遮断されていない電池の本数にかかわらず一定である。したがって、遮断素子が遮断すれば、それ以外の二次電池に流れる電流が増大する。
【００３２】
図３に記載している電流値は電池ブロック全体に流れる電流値を４と固定した値である。図３に記載している通り、遮断している遮断素子が０個の場合は、それぞれの二次電池に流れる電流値は１となる。しかし、遮断素子が１個遮断すると残りの二次電池に流れる電流値は１．３３と増大する。同様に遮断素子が２個遮断の場合は電流値は２、遮断素子が３個遮断の場合は電流値は４となる。図３には全体電流値ＩＡＡと各遮断素子の遮断状況、電流が流れている電流検出器内の充放電経路本数、遮断検知用電流検出部で計測される総和電流値ＩＡｉ、全体電流値と総和電流値の比ＩＡｉ／ＩＡＡについてまとめた表である。
【００３３】
例として、Ｂｍ−２の遮断素子のみが遮断している場合について説明する。ＩＡＡに関しては、定電流であるので４のままである。電流が流れている電流検出器内の充放電経路本数は１３（１＋０＋４＋８）となる。これより、総和電流値ＩＡｉは１．３３×１３＝１７．３となり、全体電流値と総和電流値の比ＩＡｉ／ＩＡＡは４．３３となる。同様にして、全ての遮断状況に対して算出したものをまとめたものが図３である。図３にあるように、全ての遮断素子の遮断状況に対して全体電流値と総和電流値の比ＩＡｉ／ＩＡＡが異なる。
【００３４】
ゆえに、全体電流検出部ＡＡによって全体電流値ＩＡＡを計測し、遮断検知用電流検出部Ａｉによって総和電流値ＩＡｉを計測し、断線検知部１０１で全体電流値と総和電流値の比ＩＡｉ／ＩＡＡの値が得られれば、図３のデータベースから、遮断素子の遮断状況（遮断箇所と遮断個数）をただ１つに特定することが可能である。
【００３５】
次に、外部装置２について、説明する。発電装置２２は、例えば太陽光発電装置（太陽電池）や、例えば風力や水力といった自然エネルギーやエンジン等の人工的な動力によって駆動される発電機等である。なお、充放電制御部２１は、発電装置２２の代わりに例えば商用電源に接続されていてもよい。
【００３６】
負荷装置２３は、電池電源装置１から供給される電力により駆動される各種の負荷であり、例えばモータやバックアップ対象の負荷機器であってもよい。
【００３７】
充放電制御部２１は、発電装置２２からの余剰電力や負荷装置２３で発生する回生電力を電池電源装置１の電池ブロックＢＢ１〜ＢＢｍに充電する。また、充放電制御部２１は、負荷装置２３の消費電流が急激に増大したり、あるいは発電装置２２の発電量が低下して負荷装置２３の要求する電力が発電装置２２の出力を超えたりすると、電池電源装置１の電池ブロックＢＢ１〜ＢＢｍから不足の電力を負荷装置２３へ供給する。
【００３８】
次に、このように構成された電池電源システム３の動作について説明する。図４は、図１に示す電池電源装置１の動作の一例を示すフローチャートである。
【００３９】
全体電流検出部ＡＡによって、全体電流値ＩＡＡが検出される（ステップＳ１）。そして、断線検知部１０１によって、電池ブロックＢＢの番号を示す変数ｉに、１が代入される（ステップＳ２）。
【００４０】
そして、ｉ番目の電池ブロックＢＢにおける遮断検知用電流検出部Ａｉによって、ＩＡｉが検出される（ステップＳ３）。次に、断線検知部１０１において、ステップＳ１とステップＳ３とから求められた全体電流値ＩＡＡとＩＡｉからＩＡｉ/ＩＡＡを算出する。算出されたＩＡｉ/ＩＡＡと予め記録されている遮断素子の遮断状況（遮断箇所と遮断個数）とＩＡｉ/ＩＡＡとの関係性を示した図３のデータベースとを比較することで、遮断している遮断素子の個数と箇所を判定する（ステップＳ４）。
【００４１】
次に、断線検知部１０１によって、変数ｉが電池ブロック数ｍと比較され（ステップＳ５）、変数ｉが電池ブロック数ｍに満たなければ（ステップＳ５でＮＯ）、次の電池ブロックＢＢについて断線検知をするべく変数ｉに１が加算されて（ステップＳ６）、再びステップＳ３〜Ｓ５を繰り返す。
【００４２】
そして、変数ｉが電池ブロック数ｍ以上となれば（ステップＳ５でＹＥＳ）、全ての電池ブロックＢＢについて断線検知をし終えたことになり、ステップＳ７へ移行する。
【００４３】
次に、これにより得られた断線情報は通信部１１へ出力され、通信部１１によって通信部２４を介して充放電制御部２１へ送信される（ステップＳ７）。
【００４４】
これにより、充放電制御部２１によって、電池電源装置１の電池ブロックＢＢ１〜ＢＢｍに流れる電流値が、電流制限値Ｉｕを超えないように制限されるので、電池ブロックＢＢに含まれるヒューズＦの一部が遮断して一部の二次電池Ｂが切り離されたために、残りの二次電池Ｂに流れる電流が増加して残りの二次電池Ｂを劣化させてしまうおそれが低減される。
【００４５】
なお、本実施例において、図１のように１個の電池ブロックＢＢｉに対して１個の遮断検知用電流検出部Ａｉを設けるとしたが、遮断状況判定の精度をより上げる為に、図５のように１個の電池ブロックＢＢｉに対して２個の遮断検知用電流検出部Ａｉ、Ｄｉを設けるとしても良い。
【００４６】
図５において、遮断検知用電流検出部Ａｉに貫通させる充放電経路は上記と同じで、二次電池Ｂｉ−ｎ毎に、それぞれの充放電経路を１本、２本、４本、８本…２ｎ−１本と貫通させる。そして、遮断検知用電流検出部Ｄｉには、二次電池Ｂｉ−ｎ毎に、それぞれの充放電経路を２ｎ−１本、１本、２本、４本、…２ｎ−２本と貫通させる。
【００４７】
この遮断検知用電流検出部Ｄｉにより計測される値を第２の総和電流値ＩＤｉとすると、全体電流検出部と遮断検知用電流検出部Ａｉと遮断検知用電流検出部Ｄｉとから得られるＩＡＡとＩＡｉとＩＤｉから、ＩＡｉ／ＩＡＡとＩＤｉ／ＩＡＡを算出し、予め制御部に記録されているＩＡｉ／ＩＡＡとＩＤｉ／ＩＡＡの２つの値と遮断箇所及び遮断個数との関係性を示したデータベースと比較することで、各遮断素子の遮断箇所と個数をより高い精度で判定することができる。
【００４８】
図６には、電池電源装置の全体電流検出部ＡＡと第２の遮断検出用電流検出部Ｄｉにより得られる値と遮断素子の遮断状況との関係性に関するデータベースを示す。図６は、ｎ＝４の場合の具体例を示している。ＩＡＡと各遮断素子の遮断状況、電流が流れている電流検出器内の充放電経路本数、遮断検知用電流検出部Ｄｉで計測される値、ＩＤｉ/ＩＡＡについてまとめた表である。例えば、図３ではＢｍ−１の遮断素子のみが遮断している場合とＢｍ−２の遮断素子のみが遮断している場合とでは、ＩＡｉ／ＩＡＡは４．６７と４．３３と近い値であるので、電流測定に誤差がある場合を考慮すると遮断箇所の特定が困難になる。そこで、遮断検知用電流検出部Ｄｉをさらに設けて、ＩＤｉ／ＩＡＡも求めることで、図６にあるように、Ｂｍ−１の遮断素子のみが遮断している場合とＢｍ−２の遮断素子のみが遮断している場合のＩＤｉ／ＩＡＡは２．３７と４．６７となるので、どちらが遮断しているか識別が可能となる。
【００４９】
全体電流検出部と２個の遮断検出用電流検出部を設け、各々の遮断検出用電流検出部に貫通させる充放電経路の本数を異ならせることにより、より精度の高い遮断検知を行うことができる。
【００５０】
なお、図１に示した電池ブロックには、遮断検知用電流検出部Ａｉが１個のみの構成であるが、必ずしも１個の遮断検知用電流検出部Ａｉのみで構成されているに限らず、図７のように複数個（ｘ個）用いても良い。この場合、遮断検知用電流検出部１個当たりの断線検知を行なう電池数がｎ／ｘ個と減少することにより、遮断検知用電流検出部の個数が増大するが、遮断検知用電流検出部Ａｉに貫通させる充放電経路本数を１本…２（ｎ／ｘ−１）本と減らすことが出来る点でより望ましい。
【産業上の利用可能性】
【００５１】
本発明に係る電池電源装置、及びこれを用いた電池電源システムは、携帯型パーソナルコンピュータやデジタルカメラ、携帯電話機等の電子機器、電気自動車やハイブリッドカー等の車両、ハイブリッドエレベータ、太陽電池や発電装置と二次電池とを組み合わされた電源システム、無停電源装置等の電池搭載装置、システムにおいて、好適に利用することができる。
【符号の説明】
【００５２】
１  電池電源装置
２  外部装置
３  電池電源システム
１０  制御部
１１，２４  通信部
１５，１６，１７，２５，２６，２７  接続端子
２１  充放電制御部
２２  発電装置
２３  負荷装置
１０１  断線検知部
Ａｉ  遮断検知用電流検出部
Ｄｉ  第２の遮断検知用電流検出部
ＡＡ  全体電流検出部
Ｂ１−１〜Ｂｍ−ｎ  二次電池
ＢＢ，ＢＢ１〜ＢＢｍ  電池ブロック
Ｆ，Ｆ１−１〜Ｆｍ−ｎ  ヒューズ
ＩＡＡ  全体電流値
ＩＡｉ  総和電流値
ＩＤｉ  第２の総和電流値
【図１】
2012198170.tif 000003
【図２】
2012198170.tif 000004
【図３】
2012198170.tif 000005
【図４】
2012198170.tif 000006
【図５】
2012198170.tif 000007
【図６】
2012198170.tif 000008
【図７】
2012198170.tif 000009